(57)【要約】    【課題】  ペットの尿を吸収したペット排泄用シートの上にペットが乗っても、ペットの足に尿が付着し難くする。    【解決手段】  ペットの尿を透過しない下側シート１と、ペットの尿を透過する上側シート３との間に、ペットの尿を吸収する吸収体２を挟み、上側シート３の上に、ペットの尿が通過する多数の小孔を貫通した網目シート４を重ね合わせ、下側シート１、上側シート３と網目シート４の周辺部又は下側シート１と網目シート４の周辺部を接合して、吸収体２を下側シート１、上側シート３と網目シート４で包んだペット排泄用シート。【選択図】  図１
0003109973.tif 000002
【実用新案登録請求の範囲】
【請求項１】
ペットの尿を透過しない下側シートと、ペットの尿を透過する上側シートとの間に、ペットの尿を吸収する吸収体を挟み、上側シートの上に、ペットの尿が通過する多数の小孔を貫通した網目シートを重ね合わせ、下側シート、上側シートと網目シートの周辺部又は下側シートと網目シートの周辺部を接合して、吸収体を下側シート、上側シートと網目シートで包んだことを特徴とするペット排泄用シート。
【請求項２】
網目シートは、ペットの尿が通過する多数の小孔を、ペットの尿を透過しないフイルムに貫通しており、厚さが０．１〜０．５ｍｍ位で、網目が１０〜５０メッシュ位であることを特徴とする請求項１に記載のペット排泄用シート。
【考案の詳細な説明】
【技術分野】
【０００１】
本考案は、犬や猫などのペットの排泄場所に敷く排泄用シートに関する。
【背景技術】
【０００２】
ペット排泄用シートは、下側シートと上側シートとの間に吸収体を挟み、下側と上側の両シートの周辺部を接合して、吸収体を両シートで包んでいる。
【０００３】
下側シートは、不透液性であり、ペットの尿を透過しない。ポリエチレンフイルムが例示される。上側シートは、透液性であり、ペットの尿を透過する。ポリプロピレン不織布が例示される。吸収体は、ペットの尿を吸収する。綿状パルプや吸収性高分子が例示される。
【０００４】
ペット排泄用シートは、ペットの排泄場所に敷いて置く。ペットは、そのペット排泄用シートの上で排泄する様に躾ける。ペットがペット排泄用シートの上で排泄すると、ペットの排泄物がペット排泄用シートの上に載る。ペットの排泄物中の小便、尿は、ペット排泄用シートの上側シートを透過し、ペット排泄用シート内部の吸収体に吸収されて保持される。
【０００５】
【特許文献１】特開平１１−１８６０３号公報
【特許文献２】登録実用新案第３０９４８９５号公報
【考案の開示】
【考案が解決しようとする課題】
【０００６】
上記のようなペット排泄用シートは、内部の吸収体がペットの尿を多量に吸収して飽和量又はこれに近い量の尿を保持しているときに、ペットが乗って圧縮されると、吸収体に吸収されていた尿が漏れ出し、吸収体から漏出した尿が上側シートを下側から上側に透過することがある。
【０００７】
ペット排泄用シートは、内部の吸収体に吸収されていた尿が上側シートの上面側に逆戻りすると、上側シートは、上面が尿で濡れた状態になる。その上にペットが乗ると、ペットの足に尿が付着する。そのペットがペット排泄用シートから降りると、ペット排泄用シートの周りを尿で汚すことになる。
【課題を解決するための手段】
【０００８】
１）ペットの尿を透過しない下側シートと、ペットの尿を透過する上側シートとの間に、ペットの尿を吸収する吸収体を挟み、上側シートの上に、ペットの尿が通過する多数の小孔を貫通した網目シートを重ね合わせ、下側シート、上側シートと網目シートの周辺部又は下側シートと網目シートの周辺部を接合して、吸収体を下側シート、上側シートと網目シートで包んだことを特徴とするペット排泄用シート。
【０００９】
２）上記のペット排泄用シートにおいて、
網目シートは、ペットの尿が通過する多数の小孔を、ペットの尿を透過しないフイルムに貫通しており、厚さが０．１〜０．５ｍｍ位で、網目が１０〜５０メッシュ（２５．４ｍｍの長さの間にある網目の数）位であることを特徴とする。
【考案の効果】
【００１０】
ペット排泄用シートは、上側シートの上に、ペットの尿が通過する多数の小孔を貫通した網目シートを重ね合わせている。ペット排泄用シートの上にペットの排泄物が載ると、ペットの尿は、網目シートの小孔を通過し、上側シートを透過し、吸収体に吸収されて保持される。
【００１１】
ペット排泄用シートにペットが乗って吸収体に吸収されていた尿が上側シートの上面側に逆戻りすると、その逆戻りした尿は、上側シートの上面に重ね合わさっている網目シートの小孔内に位置する。逆戻りした尿は、網目シートの多数の小孔内に貯留される。網目シートの上面側まで逆戻りすることは少ない。網目シートは、上面が尿で濡れた状態になり難い。その網目シートの上にペットが乗っても、ペットの足に尿が付着し難い。ペット排泄用シートの周りを尿で汚し難い。
【考案を実施するための最良の形態】
【００１２】
ペット排泄用シートは、図１と図２に示すように、下側シート１、吸収体２、上側シート３と網目シート４を順次積み重ねて積層している。それら１〜４の４枚を重ね合わせた積層シートである。この薄板状シートの平面形状は、四角形状、長方形状である。
【００１３】
下側シート１は、不透液性のポリエチレンフイルムである。このＰＥフイルム１は、ペットの尿を透過しない。長方形状である。
【００１４】
吸収体２は、下側吸収紙、綿状パルプと吸収性高分子の混合物の薄板状吸収シートと上側吸収紙を順次積み重ねて積層している。この薄板状積層体２は、ペットの尿を吸収する。吸収体２の平面形状は、下側シート１より一回り小さい長方形状である。
【００１５】
上側シート３は、透液性のポリプロピレン不織布である。このＰＰ不織布３は、ペットの尿を透過する。吸収体２より僅かに大きい長方形状である。
【００１６】
網目シート４は、網目状のポリエチレンフイルムである。この網目状フイルム４は、ペットの尿を透過しない不透液性ポリエチレンフイルムに多数の小孔を等間隔に貫通している。フイルム４の小孔は、ペットの尿が通過する。網目状ＰＥフイルム４は、厚さが０．１〜０．５ｍｍ位で、網目が１０〜５０メッシュ（２５．４ｍｍの長さの間にある網目の数）位である。網目シート４は、下側シート１とほぼ同じ寸法の長方形状である。
【００１７】
最下層の下側シート１と最上層の網目シート４は、それらの四辺の周辺部の間にホットメルト接着剤５を挟んで重ね合わせ、それらの四辺の周辺部を熱圧してホットメルト接着剤５で接合している。
【００１８】
下側シート１と網目シート４との間には、吸収体２と上側シート３が重ね合わさった状態で挟まれている。吸収体２は、下側の下側シート１と、上側の重ね合わさった上側シート３と網目シート４で包まれている。また、吸収体２と上側シート３との間には、粉状の消臭剤を挟んでいる。この消臭剤は、ペットの尿を消臭する。
【００１９】
このようなペット排泄用シートは、ペットの排泄場所に敷いて置く。ペットは、そのペット排泄用シートの上で排泄する様に躾ける。ペットがペット排泄用シートの上で排泄すると、ペットの排泄物がペット排泄用シートの上に載る。ペットの尿は、網目シート４の小孔を通過し、上側シート３を透過し、吸収体２に吸収されて保持される。
【００２０】
ペット排泄用シートは、内部の吸収体２がペットの尿を多量に吸収して飽和量又はこれに近い量の尿を保持しているときに、ペットが乗って圧縮されると、吸収体２に吸収されていた尿が漏れ出し、吸収体２から漏出した尿が上側シート３を下側から上側に透過することがある。
【００２１】
ペットがペット排泄用シートに乗って吸収体２に吸収されていた尿が上側シート３の上面側に逆戻りすると、その逆戻りした尿は、上側シート３の上面に重ね合わさっている網目シート４の小孔内に位置する。逆戻りした尿は、網目シート４の多数の小孔内に貯留される。網目シート４の上面側まで逆戻りすることは少ない。網目シート４は、上面が尿で濡れた状態になり難い。その網目シート４の上にペットが乗っても、ペットの足に尿が付着し難い。
【００２２】
［変形例］
１）上記の実施形態においては、吸収体２を下側シート１、上側シート３と網目シート４で包む構造は、下側シート１と網目シート４の２枚の周辺部を接合しているが、下側シート１、上側シート３と網目シート４の３枚の周辺部を接合する。
【００２３】
２）上記の実施形態においては、下側シート１と網目シート４の周辺部の接合は、ホットメルト接着剤５を使用しているが、ホットメルト接着剤５を使用せずに、下側シート１と網目シート４の周辺部又は下側シート１、上側シート３と網目シート４の周辺部を熱圧して溶着接合する。
【図面の簡単な説明】
【００２４】
【図１】本考案の実施形態におけるペット排泄用シートの縦断面図で、同ペット排泄用シートの厚さ方向を誇張した図。
【図２】同ペット排泄用シートの斜視図。
【符号の説明】
【００２５】
１  下側シート、ペットの尿を透過しない不透液性ＰＥフイルム
２  吸収体、ペットの尿を吸収する積層体
３  上側シート、ペットの尿を透過する透液性ＰＰ不織布
４  網目シート、ペットの尿が通過する多数の小孔を貫通した網目状ＰＥフイルム
５  ホットメルト接着剤
【図１】
0003109973.tif 000003
【図２】
0003109973.tif 000004